(57)【要約】【課題】発熱源となる負荷の消費電力が一時的に変化する状況においても空調機におけるエネルギー消費を抑えることができる空調制御装置を提供すること。【解決手段】負荷の消費電力を測定する電力測定部と、負荷の過去の日時の消費電力を集めた過去消費電力データベースと、電力測定部で測定された負荷の消費電力が変化したときに、電力測定部で測定された最新の消費電力と、過去消費電力データベースにおける対応する日時又はその近傍の日時の消費電力と、を比較することにより、消費電力の変化が継続するものであるかを判定する情報処理部と、情報処理部で消費電力の変化が継続するものであると判定されたときに、負荷の消費電力の変化に応じて空調機の空調能力を制御する空調制御部と、を備える。【選択図】図１
2016008745.tif 000002
【特許請求の範囲】
【請求項１】
発熱源となる負荷を収容する所定の空間を、空調機を用いて空調制御する空調制御装置であって、
前記負荷の消費電力を測定する電力測定部と、
前記負荷の過去の日時の消費電力を集めた過去消費電力データベースと、
前記電力測定部で測定された前記負荷の消費電力が変化したときに、前記電力測定部で測定された最新の消費電力と、前記過去消費電力データベースにおける対応する日時又はその近傍の日時の消費電力と、を比較することにより、消費電力の変化が継続するものであるかを判定する情報処理部と、
前記情報処理部で消費電力の変化が継続するものであると判定されたときに、前記負荷の消費電力の変化に応じて前記空調機の空調能力を制御する空調制御部と、
を備えることを特徴とする空調制御装置。
【請求項２】
前記情報処理部は、前記電力測定部で測定した最新の消費電力と前回の消費電力とを比較することにより前記負荷の消費電力が低下したか否かを判定することを特徴とする請求項１記載の空調制御装置。
【請求項３】
前記負荷の消費電力毎の発熱量を規定した発熱量テーブルと、
前記空調機の出力ランク毎の冷却能力を規定した空調機冷却能力テーブルと、
を備え、
前記情報処理部は、前記電力測定部で測定した最新の消費電力と前回の消費電力とに基づいて、前記発熱量テーブルを参照して、低下する温度を算出し、前記空調制御部を通じて前記空調機の現在の出力ランクを確認し、算出した低下する温度に基づいて、前記空調機冷却能力テーブルを参照して、確認した前記空調機の現在の出力ランクから低下可能な出力ランクを算出し、
前記空調制御部は、前記情報処理部で算出された低下可能な出力ランクに基づいて、前記空調機を制御することを特徴とする請求項１又は２記載の空調制御装置。
【請求項４】
前記負荷の電力値を検出する電力センサを備え、
前記電力測定部は、前記電力センサで検出された電力値に基づいて前記負荷の消費電力を測定することを特徴とする請求項１乃至３のいずれか一に記載の空調制御装置。
【請求項５】
前記所定の空間の温度を検出する温度センサと、
前記温度センサで検出された温度に基づいて前記所定の空間の温度を測定する温度測定部を備え、
前記空調制御部は、前記電力測定部で測定された前記負荷の消費電力が変化しないとき、又は、前記情報処理部で消費電力の変化が継続するものでないと判定されたときに、前記温度測定部で測定された温度に基づいて、前記空調機の空調能力を制御することを特徴とする請求項１乃至４のいずれか一に記載の空調制御装置。
【請求項６】
前記負荷は、複数あり、
前記所定の空間は、複数の空調制御エリアに区画され、
前記空調制御エリア毎に複数の前記負荷のいずれかが配され、
前記空調制御エリア毎に、該当する前記負荷を用いて空調制御することを特徴とする請求項１乃至５のいずれか一に記載の空調制御装置。
【請求項７】
前記負荷は、複数あり、
前記電力測定部は、複数の前記負荷の消費電力を合計した合計消費電力を算出し、
前記情報処理部は、複数の前記負荷の消費電力の変化が継続するものであるかを判定するにあたって、前記電力測定部で算出された合計消費電力を用いることを特徴とする請求項１乃至５のいずれか一に記載の空調制御装置。
【請求項８】
所定の空間に収容されるとともに発熱源となる負荷と、
前記所定の空間の温度を調整する空調機と、
前記空調機を制御する空調制御装置と、
を備え、
前記空調制御装置は、
前記負荷の消費電力を測定する電力測定部と、
前記負荷の過去の日時の消費電力を集めた過去消費電力データベースと、
前記電力測定部で測定された前記負荷の消費電力が変化したときに、前記電力測定部で測定された最新の消費電力と、前記過去消費電力データベースにおける対応する日時又はその近傍の日時の消費電力と、を比較することにより、消費電力の変化が継続するものであるかを判定する情報処理部と、
前記情報処理部で消費電力の変化が継続するものであると判定されたときに、前記負荷の消費電力の変化に応じて前記空調機の空調能力を制御する空調制御部と、
を備えることを特徴とする空調システム。
【請求項９】
空調制御装置によって、発熱源となる負荷を収容する所定の空間を、空調機を用いて空調制御する空調制御方法であって、
前記空調制御装置にて、前記負荷の消費電力を測定する工程と、
前記空調制御装置にて、測定された前記負荷の消費電力が変化したときに、測定された最新の消費電力と、前記負荷の過去の日時の消費電力を集めた過去消費電力データベースにおける対応する日時又はその近傍の日時の消費電力と、を比較することにより、消費電力の変化が継続するものであるかを判定する工程と、
前記空調制御装置にて、消費電力の変化が継続するものであると判定されたときに、前記負荷の消費電力の変化に応じて前記空調機の空調能力を制御する工程と、
を含むことを特徴とする空調制御方法。
【請求項１０】
空調制御装置にて、空調機を用いて発熱源となる負荷を収容する所定の空間の空調制御するように実行させる空調制御プログラムであって、
前記空調制御装置にて、前記負荷の消費電力を測定するステップと、
前記空調制御装置にて、測定された前記負荷の消費電力が変化したときに、測定された最新の消費電力と、前記負荷の過去の日時の消費電力を集めた過去消費電力データベースにおける対応する日時又はその近傍の日時の消費電力とを比較することにより、消費電力の変化が継続するものであるかを判定するステップと、
前記空調制御装置にて、消費電力の変化が継続するものであると判定されたときに、前記負荷の消費電力の変化に応じて前記空調機の空調能力を制御するステップと、
を実行させることを特徴とする空調制御プログラム。
【発明の詳細な説明】
【技術分野】
【０００１】
本発明は、発熱源となる負荷を収容する空間の空調制御を行う空調制御装置、空調システム、空調制御方法、及びプログラムに関する。
【背景技術】
【０００２】
従来、発熱源となる負荷（例えば、サーバ）を収容する空間（例えば、データセンタ）の空調制御では、温度センサを用いて空間温度（温度計測ポイントの温度、空調機の吸込口又は吹出口の温度）の変化に応じて空調機の冷却能力を変化させることで空調制御を行っていた。このような温度センサを用いた空調制御では、空間温度が設定値以上になれば冷却能力を大きくし、設定値以下になると冷却能力を小さくする制御を行う。
【先行技術文献】
【特許文献】
【０００３】
【特許文献１】特開２０１２−１４５２７６号公報
【発明の概要】
【発明が解決しようとする課題】
【０００４】
以下の分析は、本願発明者により与えられる。
【０００５】
しかしながら、温度センサを用いた空調制御では、データセンタにおけるサーバの消費電力が下がっても空間温度が設定温度以下まで下がってからでないと冷房能力は下がらなかった。すなわち、サーバの消費電力が低下して空間温度が低下するまで同一冷却能力にて運転を続けていた。温度センサを用いた空調制御では、（Ａ）電流変化（サーバの消費電力減少）してから各サーバの温度変化時間、（Ｂ）各サーバ（発熱源）が空間温度を変化させるまでの時間、（Ｃ）温度変化が起こり空調機の能力を制御してから空間温度が一定に保たれるまでの時間の合計（Ａ）＋（Ｂ）＋（Ｃ）の時間がかかる。それにより、空調機において（Ａ）＋（Ｂ）の時間に温度を下げる分のエネルギー（設定温度以下まで温度を下げるエネルギー）を余分に消費していた。
【０００６】
また、近年においては、データセンタにおけるサーバの消費電力の変化に応じて空調機の冷却能力を変化させる方法で空調制御を行うものが提案されている（例えば、特許文献１）。しかしながら、サーバの消費電力の変化が一時的に変化した場合にも空調機の冷却能力を変化させると、かえって空調機におけるエネルギーの消費が増加してしまう可能性がある。つまり、サーバの消費電力の変化が一時的に増加した場合にも空調機の冷却能力を増加すればその分の空調機におけるエネルギーの消費が増加し、サーバの消費電力の変化が一時的に減少した場合にも空調機の冷却能力を減少すれば、冷却時間が長くなることにより空調機におけるエネルギーの消費が増加する可能性がある。
【０００７】
本発明の主な課題は、発熱源となる負荷の消費電力が一時的に変化する状況においても空調機におけるエネルギー消費を抑えることができる空調制御装置、空調システム、空調制御方法、及びプログラムを提供することである。
【課題を解決するための手段】
【０００８】
本発明の第１の視点においては、発熱源となる負荷を収容する所定の空間を、空調機を用いて空調制御する空調制御装置であって、前記負荷の消費電力を測定する電力測定部と、前記負荷の過去の日時の消費電力を集めた過去消費電力データベースと、前記電力測定部で測定された前記負荷の消費電力が変化したときに、前記電力測定部で測定された最新の消費電力と、前記過去消費電力データベースにおける対応する日時又はその近傍の日時の消費電力と、を比較することにより、消費電力の変化が継続するものであるかを判定する情報処理部と、前記情報処理部で消費電力の変化が継続するものであると判定されたときに、前記負荷の消費電力の変化に応じて前記空調機の空調能力を制御する空調制御部と、を備えることを特徴とする。
【０００９】
本発明の第２の視点においては、空調システムにおいて、所定の空間に収容されるとともに発熱源となる負荷と、前記所定の空間の温度を調整する空調機と、前記空調機を制御する空調制御装置と、を備え、前記空調制御装置は、前記負荷の消費電力を測定する電力測定部と、前記負荷の過去の日時の消費電力を集めた過去消費電力データベースと、前記電力測定部で測定された前記負荷の消費電力が変化したときに、前記電力測定部で測定された最新の消費電力と、前記過去消費電力データベースにおける対応する日時又はその近傍の日時の消費電力と、を比較することにより、消費電力の変化が継続するものであるかを判定する情報処理部と、前記情報処理部で消費電力の変化が継続するものであると判定されたときに、前記負荷の消費電力の変化に応じて前記空調機の空調能力を制御する空調制御部と、を備えることを特徴とする。
【００１０】
本発明の第３の視点においては、空調制御装置によって、発熱源となる負荷を収容する所定の空間を、空調機を用いて空調制御する空調制御方法であって、前記空調制御装置にて、前記負荷の消費電力を測定する工程と、前記空調制御装置にて、測定された前記負荷の消費電力が変化したときに、測定された最新の消費電力と、前記負荷の過去の日時の消費電力を集めた過去消費電力データベースにおける対応する日時又はその近傍の日時の消費電力と、を比較することにより、消費電力の変化が継続するものであるかを判定する工程と、前記空調制御装置にて、消費電力の変化が継続するものであると判定されたときに、前記負荷の消費電力の変化に応じて前記空調機の空調能力を制御する工程と、を含むことを特徴とする。
【００１１】
本発明の第４の視点においては、空調制御装置にて、空調機を用いて発熱源となる負荷を収容する所定の空間の空調制御するように実行させる空調制御プログラムであって、前記空調制御装置にて、前記負荷の消費電力を測定するステップと、前記空調制御装置にて、測定された前記負荷の消費電力が変化したときに、測定された最新の消費電力と、前記負荷の過去の日時の消費電力を集めた過去消費電力データベースにおける対応する日時又はその近傍の日時の消費電力とを比較することにより、消費電力の変化が継続するものであるかを判定するステップと、前記空調制御装置にて、消費電力の変化が継続するものであると判定されたときに、前記負荷の消費電力の変化に応じて前記空調機の空調能力を制御するステップと、を実行させることを特徴とする。
【発明の効果】
【００１２】
本発明によれば、発熱源となる負荷の消費電力が一時的に変化する状況においても、空調能力を変更しないので、空調機におけるエネルギー消費を抑えることができる。
【図面の簡単な説明】
【００１３】
【図１】本発明の実施形態１に係る空調システムの構成を模式的に示したブロック図である。
【図２】本発明の実施形態１に係る空調システムにおける空調制御装置の動作を模式的に示したフローチャート図である。
【図３】本発明の実施形態２に係る空調システムの構成を模式的に示したブロック図である。
【図４】本発明の実施形態２に係る空調システムにおける消費電力データベースの一例を模式的に示した図である。
【図５】本発明の実施形態２に係る空調システムにおける過去消費電力データベースの一例を模式的に示した図である。
【図６】本発明の実施形態２に係る空調システムにおける発熱量テーブルの一例を模式的に示した図である。
【図７】本発明の実施形態２に係る空調システムにおける空調機冷却能力テーブルの一例を模式的に示した図である。
【図８】本発明の実施形態２に係る空調システムにおける電力センサ対応エリアテーブルの一例を模式的に示した図である。
【図９】本発明の実施形態２に係る空調システムにおける空調機対応エリアテーブルの一例を模式的に示した図である。
【図１０】本発明の実施形態２に係る空調システムにおける空調制御装置の動作を模式的に示したフローチャート図である。
【発明を実施するための形態】
【００１４】
［実施形態１］
本発明の実施形態１に係る空調システムについて、図面を用いて説明する。図１は、本発明の実施形態１に係る空調システムの構成を模式的に示したブロック図である。
【００１５】
空調システム１は、発熱源となる負荷１０を収容する空間２を、空調機２０を用いて空調制御するシステムである。空調システム１は、主な構成として、負荷１０と、空調機２０と、空調制御装置３０と、を備える。
【００１６】
負荷１０は、電子工学の技術を応用した装置である。負荷１０は、空間２に収容される。負荷１０は、電力を消費することにより発熱する発熱源となる。負荷１０の消費電力は、空調制御装置３０の電力測定部３１によって測定される。
【００１７】
空調機２０は、空間２の温度を調整する機器である。空調機２０は、空調制御装置３０の空調制御部３４によって制御される。
【００１８】
空調制御装置３０は、空調機２０を制御する装置である。空調制御装置３０は、電力測定部３１と、過去消費電力データベース３２ｂと、情報処理部３３と、空調制御部３４と、を備える。
【００１９】
電力測定部３１は、負荷１０の消費電力を測定する機能部である。過去消費電力データベース３２ｂは、負荷１０の過去の日時の消費電力を集めたデータベースである。情報処理部３３は、電力測定部３１で測定された負荷１０の消費電力が変化したときに、電力測定部３１で測定された最新の消費電力と、過去消費電力データベース３２ｂにおける対応する日時又はその近傍の日時（例えば、同じ月の同じ週の同じ曜日の日時）の消費電力と、を比較することにより、消費電力の変化が継続するものであるかを判定する機能部である。空調制御部３４は、情報処理部３３で消費電力の変化が継続するものであると判定されたときに、負荷１０の消費電力に応じて空調機２０の空調能力を制御する機能部である。
【００２０】
次に、本発明の実施形態１に係る空調システムにおける空調制御装置の動作について、図面を用いて説明する。図２は、本発明の実施形態１に係る空調システムにおける空調制御装置の動作を模式的に示したフローチャート図である。
【００２１】
まず、空調制御装置３０は、電力測定部３１にて、負荷１０の消費電力を測定する（ステップＡ１）。
【００２２】
次に、空調制御装置３０は、情報処理部３３にて、電力測定部３１で測定された負荷１０の消費電力が変化したときに、測定された最新の消費電力と、過去消費電力データベース３２ｂにおける対応する日時の消費電力と、を比較することにより、消費電力の変化が継続するものであるかを判定する（ステップＡ２）。消費電力の変化が継続するものでない場合（消費電力の変化が一時的である場合；ステップＡ２のＮＯ）、現在の空調制御を維持したまま、スタートに戻る。
【００２３】
消費電力の変化が継続するものである場合（ステップＡ２のＹＥＳ）、空調制御装置３０は、空調制御部３４にて、負荷１０の消費電力の変化に応じて空調機２０の空調能力を制御し（ステップＡ３）、その後、スタートに戻る。なお、消費電力が多くなった場合、空調能力を高くするように制御し、消費電力が少なくなった場合、空調能力を低くするように制御することになる。
【００２４】
実施形態１によれば、発熱源となる負荷１０の消費電力が一時的に変化する状況においても、空調能力を変更しないので、空調機２０におけるエネルギー消費を抑えることができる。
【００２５】
［実施形態２］
本発明の実施形態２に係る空調システムについて、図面を用いて説明する。図３は、本発明の実施形態２に係る空調システムの構成を模式的に示したブロック図である。図４は、本発明の実施形態２に係る空調システムにおける消費電力データベースの一例を模式的に示した図である。図５は、本発明の実施形態２に係る空調システムにおける過去消費電力データベースの一例を模式的に示した図である。図６は、本発明の実施形態２に係る空調システムにおける発熱量テーブルの一例を模式的に示した図である。図７は、本発明の実施形態２に係る空調システムにおける空調機冷却能力テーブルの一例を模式的に示した図である。図８は、本発明の実施形態２に係る空調システムにおける電力センサ対応エリアテーブルの一例を模式的に示した図である。図９は、本発明の実施形態２に係る空調システムにおける空調機対応エリアテーブルの一例を模式的に示した図である。
【００２６】
空調システム１は、発熱源となる負荷１０を収容する空間２（例えば、データセンタ、ポンプ室等）を、空調機２０を用いて空調制御するシステムである。空調システム１は、主な構成として、負荷１０ａ〜１０ｍと、空調機２０ａ〜２０ｎと、空調制御装置３０と、電力センサ４０ａ〜４０ｍと、温度センサ５０ａ〜５０ｎと、を備える。
【００２７】
負荷１０ａ〜１０ｍは、電子工学の技術を応用した装置である。負荷１０ａ〜１０ｍは、空間２に収容される。負荷１０ａ〜１０ｍは、電力を消費することにより発熱する発熱源となる。負荷１０ａ〜１０ｍの消費電力は、空調制御装置３０の電力測定部３１によって測定される。負荷１０ａ〜１０ｍには、例えば、サーバ機器、ＩＴ（Information Technology）機器等の電子機器、ポンプ等の電動モータを動力源とする機械を用いることができる。
【００２８】
空調機２０ａ〜２０ｎは、空間２の温度を調整する機器である。空調機２０ａ〜２０ｎは、空調制御装置３０の空調制御部３４によって空調制御エリア毎に冷却能力を制御される。空調機２０ａ〜２０ｎには、例えば、通常のインバータ制御可能な空調機を用いることができる。
【００２９】
空調制御装置３０は、空調機２０ａ〜２０ｎを制御する装置である。空調制御装置３０は、例えば、コンピュータ機能を有するサーバなどの一般的な情報処理装置を用いることができる。空調制御装置３０は、時計機能を有する。空調制御装置３０は、記憶された所定のプログラムを実行することで、電力測定部３１と、情報処理部３３と、空調制御部３４と、温度測定部３５と、を実現する。空調制御装置３０は、データベース３２を記憶する。
【００３０】
電力測定部３１は、負荷１０ａ〜１０ｍの消費電力を測定する機能部である。電力測定部３１は、電力センサ４０ａ〜４０ｍ（１個でも可）で検出された電力値を一定間隔（例えば、１分間隔）、空調制御エリア毎に集計して、空調制御エリア毎の電力値の合計となる消費電力を算出する。電力測定部３１は、算出した空調制御エリア毎の消費電力（データ）を情報処理部３３へ渡す。
【００３１】
データベース３２は、特定のテーマに沿ったデータを集めて管理し、 検索・抽出などの再利用をできるようにしたものである。データベース３２は、メモリ、ハードディスク等の記憶装置（図示せず；内蔵でも外付けでも良い）に記憶されている。データベース３２は、消費電力データベース３２ａと、過去消費電力データベース３２ｂと、発熱量テーブル３２ｃと、空調機冷却能力テーブル３２ｄと、電力センサ対応エリアテーブル３２ｅと、空調機対応エリアテーブル３２ｆと、を有する。
【００３２】
消費電力データベース３２ａは、日時ごとに所定時間（例えば、１分）の間隔で空調制御エリア毎に設置している負荷（１０ａ〜１０ｍのいずれか）の電力値の合計となる消費電力（データ）が保存されたデータベースである。なお、消費電力データベース３２ａは、空調制御エリア毎ではなく、負荷（１０ａ〜１０ｍ）毎に作成しておいてもよい。消費電力データベース３２ａには、例えば、図４に示す通り、ある日時の消費電力が所定時間毎（図４では１分毎）に保存される。ここで、消費電力データベース３２ａにおける消費電力（データ）は、電力測定部３１で測定又は算出されたものであり、電力測定部３１で測定又は算出されるごとに消費電力データベース３２ａに追加される。
【００３３】
過去消費電力データベース３２ｂは、空調制御エリア毎に過去の日時、季節、曜日、休日など時点における消費電力（データ）の運用実績情報を蓄積したデータベースである。なお、過去消費電力データベース３２ｂは、空調制御エリア毎ではなく、負荷（１０ａ〜１０ｍ）毎に作成しておいてもよい。過去消費電力データベース３２ｂを負荷（１０ａ〜１０ｍ）毎に作成した場合は、情報処理部３３でその都度その負荷（１０ａ〜１０ｍのいずれか）が設置されている空調制御エリア毎に合計した消費電力を算出する。過去消費電力データベース３２ｂには、例えば、図５に示す通り、過去のある日時の消費電力が所定時間毎（図５では３０分毎）に登録されている。ここで、過去消費電力データベース３２ｂにおける消費電力は、過去何年か分の同じ日時の消費電力を平均したものとすることができる。
【００３４】
発熱量テーブル３２ｃは、各空調制御エリア毎に設置されている負荷（１０ａ〜１０ｍのいずれか）の電力値の合計となる消費電力に対する発熱量（温度上昇値）を規定したテーブルである。発熱量テーブル３２ｃは、実測データに基づいて作成したものである。発熱量テーブル３２ｃには、例えば、図６に示す通り、消費電力の所定間隔毎（図６では５０Ｗ毎）に発熱量に相当する温度上昇値が登録されている。
【００３５】
空調機冷却能力テーブル３２ｄは、空調機２０ａ〜２０ｎ毎に出力ランク（冷却能力変更単位）の一定時間に冷却可能な能力（例えば、温度上昇値）を規定したテーブルである。空調機冷却能力テーブル３２ｄは、実測データに基づいて作成したものである。空調機冷却能力テーブル３２ｄは、例えば、図７に示す通り、出力ランク毎に冷却能力に相当する温度上昇値（温度を下げるのでマイナスの値）が登録されている。
【００３６】
電力センサ対応エリアテーブル３２ｅは、電力センサ４０ａ〜４０ｍ（負荷１０ａ〜１０ｍでも可）に対応する空調制御エリアを一覧にしたテーブルである（例えば、図８参照）。
【００３７】
空調機対応エリアテーブル３２ｆは、空調機２０ａ〜２０ｎ（温度センサ５０ａ〜５０ｎでも可）に対応する空調制御エリアを一覧にしたテーブルである（例えば、図９参照）。
【００３８】
情報処理部３３は、各種の情報処理を行う機能部である。情報処理部３３は、電力測定部３１で測定された負荷１０の消費電力が変化したときに、電力測定部３１で測定された最新の消費電力と、過去消費電力データベース３２ｂにおける対応する日時又はその近傍の日時（例えば、同じ月の同じ週の同じ曜日の日時）の消費電力と、を比較することにより、消費電力の変化が継続するものであるかを判定する。詳しくは、以下の通りである。
【００３９】
情報処理部３３は、電力測定部３１から取得した空調制御エリア毎の消費電力（データ）を１回分（前回分）保存しておき、新たに今回取得した消費電力（データ）と前回取得した消費電力（データ）とから消費電力が低下しているかを判定する。
【００４０】
情報処理部３３は、消費電力が低下している場合、データベース３２の過去消費電力データベース３２ｂに基づいて、今回取得した消費電力（データ）の日時に対応する日時又はその近傍の日時（例えば、同じ月の同じ週の同じ曜日の日時）の消費電力（データ）を抽出し、抽出した消費電力（データ）が今回取得した消費電力（データ）以下であるかを判定する。情報処理部３３は、抽出した消費電力（データ）が今回取得した消費電力（データ）以下でない場合、一時的な消費電力の変化と判断する。
【００４１】
情報処理部３３は、抽出した消費電力（データ）が今回取得した消費電力（データ）以下である場合、継続的な消費電力の変化と判断し、今回取得した消費電力と前回取得した消費電力とに基づいて、発熱量テーブル３２ｃを参照し、低下する発熱量を算出し、低下した発熱量に基づいて空調機冷却能力テーブル３２ｄを参照し、対応する空調機（２０ａ〜２０ｎのいずれか）の現在の出力から低下可能な出力を計算し、計算した低下可能な出力（データ）を空調制御部３４に伝える。
【００４２】
空調制御部３４は、空調機２０ａ〜２０ｎを制御する機能部である。空調制御部３４は、情報処理部３３で消費電力の変化が継続するものであると判定されたときに、負荷１０の消費電力に応じて空調機２０の空調能力を制御する。空調制御部３４は、情報処理部３３で計算された低下可能な出力（データ）に基づいて、対応する空調機（２０ａ〜２０ｎのいずれか）を制御する。
【００４３】
空調制御部３４は、消費電力が低下していない場合、又は、一時期な消費電力の低下である場合、温度測定部３５で測定された温度（温度センサ５０ａ〜５０ｎで検出した温度）に基づいて、対応する空調機（２０ａ〜２０ｎのいずれか）の空調能力を制御する。
【００４４】
温度測定部３５は、温度センサ５０ａ〜５０ｎで検出した温度（データ）を測定する機能部である。温度測定部３５は、温度センサ５０ａ〜５０ｎで検出した温度（データ）を空調制御エリア毎に集計し、集計した空調制御エリア毎の温度（データ）を情報処理部３３に伝える。
【００４５】
電力センサ４０ａ〜４０ｍは、対応する負荷１０ａ〜１０ｍの電力値（電流値でも可）を検出するセンサである。電力センサ４０ａ〜４０ｍには、例えば、図３のように、電源４から負荷１０ａ〜１０ｍに電気的に接続される各ケーブルに取り付けたカレントトランスを用いることができる。電力センサ４０ａ〜４０ｍは、分電盤３から各負荷１０ａ〜１０ｍに配線されるケーブルの分電盤３内に集中的に取り付けることができる。
【００４６】
温度センサ５０ａ〜５０ｎは、空調機２０ａ〜２０ｎに対応するエリアの温度を検出するセンサである。温度センサ５０ａ〜５０ｎは、例えば、空調機２０ａ〜２０ｎの吸い込み口や吐き出し口など複数個所に設置してもよい。温度センサ５０ａ〜５０ｎは、空調機２０ａ〜２０ｎに内蔵されている温度センサを用いてもよい。
【００４７】
次に、本発明の実施形態２に係る空調システムにおける空調制御装置の動作について、図面を用いて説明する。図１０は、本発明の実施形態２に係る空調システムにおける空調制御装置の動作を模式的に示したフローチャート図である。なお、空調システム１及び空調制御装置３０の構成については、図３を参照されたい。
【００４８】
まず、空調制御装置３０は、電力測定部３１にて、電力センサ４０ａ〜４０ｍで検出した電力値（電源４から負荷１０ａ〜１０ｍ毎に供給される消費電力）を取得する（ステップＢ１）。ここで、電力値の取得は、前回取得した時から所定時間経過したときに取得する。
【００４９】
次に、空調制御装置３０は、電力測定部３１にて、電力センサ対応エリアテーブル３２ｅを参照して、各電力センサ４０ａ〜４０ｍからの電力値を空調制御エリア別に集計する（ステップＢ２）。
【００５０】
次に、空調制御装置３０は、電力測定部３１にて、空調制御エリア別に集計した電力値を合計した消費電力（空調制御エリア内の合計値）を算出する（ステップＢ３）。
【００５１】
次に、空調制御装置３０は、電力測定部３１にて、ステップＢ３で算出した消費電力をデータベース３２の消費電力データベース３２ａに書き込む（ステップＢ４）。
【００５２】
次に、空調制御装置３０は、情報処理部３３にて、消費電力データベース３２ａに基づいて、今回書き込んだ消費電力と前回書き込んだ消費電力とを比較し、消費電力が低下したか否かを判定する（ステップＢ５）。消費電力が低下していない場合（ステップＢ５のＮＯ）、ステップＢ１３に進む。
【００５３】
消費電力が低下している場合（ステップＢ５のＹＥＳ）、空調制御装置３０は、情報処理部３３にて、過去消費電力データベース３２ｂから、今回書き込んだ消費電力の日時に対応する日時又はその近傍の日時（例えば、同じ月の同じ週の同じ曜日の日時）の消費電力（データ）を抽出する（ステップＢ６）。
【００５４】
次に、空調制御装置３０は、情報処理部３３にて、ステップＢ６で抽出した消費電力が、今回書き込んだ消費電力以下であるか否かを判定する（ステップＢ７）。抽出した消費電力が、今回書き込んだ消費電力以下でない場合（ステップＢ７のＮＯ）、消費電力の低下（電流の低下）が一時的であるとして、ステップＢ１３に進む。
【００５５】
抽出した消費電力が、今回書き込んだ消費電力以下である場合（ステップＢ７のＹＥＳ）、消費電力の低下が継続的であるとして、空調制御装置３０は、情報処理部３３にて、前回書き込んだ消費電力と今回書き込んだ消費電力とに基づいて、発熱量テーブル３２ｃを参照して、低下する温度を算出する（ステップＢ８）。
【００５６】
次に、空調制御装置３０は、情報処理部３３にて、空調機対応エリアテーブル３２ｆを参照して、該当する空調制御エリアの空調機（２０ａ〜２０ｎのいずれか）を抽出する（ステップＢ９）。
【００５７】
次に、空調制御装置３０は、情報処理部３３にて、ステップＢ９で抽出した空調機（２０ａ〜２０ｎのいずれか）の現在の出力ランクを、空調制御部３４を通じて確認する（ステップＢ１０）。
【００５８】
次に、空調制御装置３０は、情報処理部３３にて、ステップＢ８で算出した低下する温度に基づいて、空調機冷却能力テーブル３２ｄを参照して、対応する空調機（２０ａ〜２０ｎのいずれか）の現在の出力ランクから低下可能な出力を算出する（ステップＢ１１）。
【００５９】
次に、空調制御装置３０は、空調制御部３４にて、情報処理部３３で算出した低下可能な出力ランクとなるように、対応する空調機（２０ａ〜２０ｎのいずれか）を制御し（ステップＢ１２）、その後、スタートに戻る。
【００６０】
消費電力が低下していない場合（ステップＢ５のＮＯ）、又は、抽出した消費電力が、今回書き込んだ消費電力以下でない場合（ステップＢ７のＮＯ）、空調制御装置３０は、空調制御部３４にて、温度測定部３５で測定された温度（温度センサ５０ａ〜５０ｎで検出した温度）に基づいて、対応する空調機（２０ａ〜２０ｎのいずれか）の空調能力を制御し（ステップＢ１３）、その後、スタートに戻る。なお、温度に基づく空調制御は通常の方法なので説明は省略する。
【００６１】
なお、実施形態２では、空間２を複数の空調制御エリアに区分けしているが、区分けしないようにしてもよい。
【００６２】
実施形態２によれば、負荷１０ａ〜１０ｍの消費電力の低下が継続的か一時的かを判断して空調制御することで、負荷１０ａ〜１０ｍの低下時の過度な温度の低下がなくなり、エネルギーの無駄を削減することができる。また、負荷１０ａ〜１０ｍの消費電力の変化による制御では、発熱源の変化に応じて空調能力を変化させるため、温度変化が起こりにくい。さらに、室温が設定温度に達し均衡運転を行っているときに負荷１０ａ〜１０ｍの消費電力が低下した場合、消費電力の低下に相当する空調機２０ａ〜２０ｎの冷却能力を減らして運転するので、消費電力を抑えることができる。
【００６３】
なお、本出願において図面参照符号を付している場合は、それらは、専ら理解を助けるためのものであり、図示の態様に限定することを意図するものではない。
【００６４】
（付記）
本発明の第１の視点においては、発熱源となる負荷を収容する所定の空間を、空調機を用いて空調制御する空調制御装置であって、前記負荷の消費電力を測定する電力測定部と、前記負荷の過去の日時の消費電力を集めた過去消費電力データベースと、前記電力測定部で測定された前記負荷の消費電力が変化したときに、前記電力測定部で測定された最新の消費電力と、前記過去消費電力データベースにおける対応する日時又はその近傍の日時の消費電力と、を比較することにより、消費電力の変化が継続するものであるかを判定する情報処理部と、前記情報処理部で消費電力の変化が継続するものであると判定されたときに、前記負荷の消費電力の変化に応じて前記空調機の空調能力を制御する空調制御部と、を備えることを特徴とする。
【００６５】
本発明の前記空調制御装置において、前記情報処理部は、前記電力測定部で測定した最新の消費電力と前回の消費電力とを比較することにより前記負荷の消費電力が低下したか否かを判定することが好ましい。
【００６６】
本発明の前記空調制御装置において、前記負荷の消費電力毎の発熱量を規定した発熱量テーブルと、前記空調機の出力ランク毎の冷却能力を規定した空調機冷却能力テーブルと、を備え、前記情報処理部は、前記電力測定部で測定した最新の消費電力と前回の消費電力とに基づいて、前記発熱量テーブルを参照して、低下する温度を算出し、前記空調制御部を通じて前記空調機の現在の出力ランクを確認し、算出した低下する温度に基づいて、前記空調機冷却能力テーブルを参照して、確認した前記空調機の現在の出力ランクから低下可能な出力ランクを算出し、前記空調制御部は、前記情報処理部で算出された低下可能な出力ランクに基づいて、前記空調機を制御することが好ましい。
【００６７】
本発明の前記空調制御装置において、前記負荷の電力値を検出する電力センサを備え、前記電力測定部は、前記電力センサで検出された電力値に基づいて前記負荷の消費電力を測定することが好ましい。
【００６８】
本発明の前記空調制御装置において、前記所定の空間の温度を検出する温度センサと、前記温度センサで検出された温度に基づいて前記所定の空間の温度を測定する温度測定部を備え、前記空調制御部は、前記電力測定部で測定された前記負荷の消費電力が変化しないとき、又は、前記情報処理部で消費電力の変化が継続するものでないと判定されたときに、前記温度測定部で測定された温度に基づいて、前記空調機の空調能力を制御することが好ましい。
【００６９】
本発明の前記空調制御装置において、前記負荷は、複数あり、前記所定の空間は、複数の空調制御エリアに区画され、前記空調制御エリア毎に複数の前記負荷のいずれかが配され、前記空調制御エリア毎に、該当する前記負荷を用いて空調制御することが好ましい。
【００７０】
本発明の前記空調制御装置において、前記負荷は、複数あり、前記電力測定部は、複数の前記負荷の消費電力を合計した合計消費電力を算出し、前記情報処理部は、複数の前記負荷の消費電力の変化が継続するものであるかを判定するにあたって、前記電力測定部で算出された合計消費電力を用いることが好ましい。
【００７１】
本発明の第２の視点においては、空調システムにおいて、所定の空間に収容されるとともに発熱源となる負荷と、前記所定の空間の温度を調整する空調機と、前記空調機を制御する空調制御装置と、を備え、前記空調制御装置は、前記負荷の消費電力を測定する電力測定部と、前記負荷の過去の日時の消費電力を集めた過去消費電力データベースと、前記電力測定部で測定された前記負荷の消費電力が変化したときに、前記電力測定部で測定された最新の消費電力と、前記過去消費電力データベースにおける対応する日時又はその近傍の日時の消費電力と、を比較することにより、消費電力の変化が継続するものであるかを判定する情報処理部と、前記情報処理部で消費電力の変化が継続するものであると判定されたときに、前記負荷の消費電力の変化に応じて前記空調機の空調能力を制御する空調制御部と、を備えることを特徴とする。
【００７２】
本発明の第３の視点においては、空調制御装置によって、発熱源となる負荷を収容する所定の空間を、空調機を用いて空調制御する空調制御方法であって、前記空調制御装置にて、前記負荷の消費電力を測定する工程と、前記空調制御装置にて、測定された前記負荷の消費電力が変化したときに、測定された最新の消費電力と、前記負荷の過去の日時の消費電力を集めた過去消費電力データベースにおける対応する日時又はその近傍の日時の消費電力と、を比較することにより、消費電力の変化が継続するものであるかを判定する工程と、前記空調制御装置にて、消費電力の変化が継続するものであると判定されたときに、前記負荷の消費電力の変化に応じて前記空調機の空調能力を制御する工程と、を含むことを特徴とする。
【００７３】
本発明の第４の視点においては、空調制御装置にて、空調機を用いて発熱源となる負荷を収容する所定の空間の空調制御するように実行させる空調制御プログラムであって、前記空調制御装置にて、前記負荷の消費電力を測定するステップと、前記空調制御装置にて、測定された前記負荷の消費電力が変化したときに、測定された最新の消費電力と、前記負荷の過去の日時の消費電力を集めた過去消費電力データベースにおける対応する日時又はその近傍の日時の消費電力とを比較することにより、消費電力の変化が継続するものであるかを判定するステップと、前記空調制御装置にて、消費電力の変化が継続するものであると判定されたときに、前記負荷の消費電力の変化に応じて前記空調機の空調能力を制御するステップと、を実行させることを特徴とする。
【００７４】
なお、本発明の全開示（特許請求の範囲及び図面を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【符号の説明】
【００７５】
１  空調システム
２  空間
３  分電盤
４  電源
１０、１０ａ〜１０ｍ  負荷
２０、２０ａ〜２０ｎ  空調機
３０  空調制御装置
３１  電力測定部
３２  データベース
３２ａ  消費電力データベース
３２ｂ  過去消費電力データベース
３２ｃ  発熱量テーブル
３２ｄ  空調機冷却能力テーブル
３２ｅ  電力センサ対応エリアテーブル
３２ｆ  空調機対応エリアテーブル
３３  情報処理部
３４  空調制御部
３５  温度測定部
４０ａ〜４０ｍ  電力センサ
５０ａ〜５０ｎ  温度センサ
【図１】
2016008745.tif 000003
【図２】
2016008745.tif 000004
【図３】
2016008745.tif 000005
【図４】
2016008745.tif 000006
【図５】
2016008745.tif 000007
【図６】
2016008745.tif 000008
【図７】
2016008745.tif 000009
【図８】
2016008745.tif 000010
【図９】
2016008745.tif 000011
【図１０】
2016008745.tif 000012